(57)【要約】    【構成】携帯電話機１０の筐体Ｃには表示窓（３２）が形成され、表示窓（３２）の裏側にはＬＣＤユニット（２２）が貼り付けられる。また、ＬＣＤユニット（２２）は表示窓（３２）を通して視認される。このＬＣＤユニット（２２）の周縁には、ブラックマスク（２６）が形成されるため、ブラックマスク（２６）の一部も表示窓（３２）の表面から見える。表示窓（３２）の周縁裏面には、印刷枠（３２）が形成され、その印刷枠（３２）はブラックマスク（２６）の色と類似する黒色にされている。そのため、ＬＣＤユニット（２２）の貼り付けのずれによってブラックマスク（２６）が表示窓３２から大きく覗いたとしても、印刷枠（３２）の存在によってそれが目立たなくなる。    【効果】印刷枠（３２）の存在によって貼り付けのずれが目立たなくなるため、ディスプレイ１２の貼り付けのずれに安価に対応することができる。【選択図】図１
2011233998.tif 000002
【特許請求の範囲】
【請求項１】
表示窓が形成された筐体と、
前記筐体の前記表示窓に貼り付けられ、縁に所定の色を有する有色部が形成されているＬＣＤユニットと、を有する携帯電話機において、
前記表示窓の縁に、前記有色部の色と同一もしくは類似する色の印刷が形成されている事を特徴とする、携帯電話機。
【請求項２】
前記有色部が、ブラックマスクである、請求項１記載の携帯電話機。
【請求項３】
前記印刷が、前記表示窓の縁全体に形成されている、請求項１または２記載の携帯電話機。
【請求項４】
前記印刷が、前記表示窓の前記ＬＣＤユニットが貼り付けられる側に形成されている、請求項１ないし３のいずれかに記載の携帯電話機。
【発明の詳細な説明】
【技術分野】
【０００１】
この発明は、携帯電話機に関し、特に表示窓の表面側からＬＣＤユニットが見えるように、ＬＣＤユニットが表示窓の裏面に貼り付けられた、携帯電話機に関する。
【背景技術】
【０００２】
従来、特にたとえば表示窓の表面側からＬＣＤユニットが見えるように、ＬＣＤユニットが表示窓の裏面に貼り付けられた携帯電話機は広く知られており、この種の装置の一例が特許文献１に開示されている。この背景技術によれば、作業者は、液晶表示パネルを、その表示窓に対して、ずれることなく取付けることができる。
【０００３】
また、特許文献２では、液晶表示装置と前面パネルとは、樹脂などによって貼り合わせられている。
【特許文献１】特開２０００−１２２０８４号公報［G02F 1/1345］
【特許文献２】特開２００９−２９４２８０号公報［G02F 1/1333］
【発明の概要】
【発明が解決しようとする課題】
【０００４】
携帯電話機の製造では、特許文献２にあるように、液晶表示パネルを、樹脂などによって筐体に貼り合わせる工程が存在する。したがって、液晶表示パネルを一旦ずれて貼り付けてしまうと、接着を除去する必要があるので、液晶表示パネルだけでなく前面パネルも不良品として処分せざるを得ない場合もある。そのため、液晶表示パネルの貼り付け工程においては細心の注意を要するため、作業性がよくない。
【０００５】
したがって、たとえば特許文献１に見られるような、ずれ防止機構を採用することが考えられるが、特別な形状にする必要があり、汎用品が使えなくなるため、液晶表示パネルの原価が高くなってしまう。つまり、液晶表示パネルの貼り付けのずれ対策費用としてはコストがかかりすぎる。
【０００６】
それゆえに、この発明の主たる目的は、新規な、携帯電話機を提供することである。
【０００７】
この発明の他の目的は、液晶表示パネルの貼り付けのずれに安価に対応する、携帯電話機を提供することである。
【課題を解決するための手段】
【０００８】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００９】
第１の発明は、表示窓が形成された筐体と、筐体の表示窓に貼り付けられ、縁に所定の色を有する有色部が形成されているＬＣＤユニットと、を有する携帯電話機において、表示窓の縁に、有色部の色と同一もしくは類似する色の印刷が形成されている事を特徴とする、携帯電話機である。
【００１０】
第１の発明では、携帯電話機（１０：実施例において対応する部分を例示する参照符号。以下、同じ。）は、表示窓（３２）が形成された筐体（Ｃ）および筐体の表示窓に貼り付けられ、縁に所定の色（黒）を有する有色部（２６）が形成されているＬＣＤユニット（２２）を有する。そのため、ＬＣＤユニットの表示領域（２４）は表示窓を通して視認される。また、このＬＣＤユニットの周縁には、たとえばバックライトの光が前面に漏れることを防止するための目的で、形成された有色部の一部も表示窓の表面から見える。さらに、表示窓の縁には、印刷（３２）が形成され、その印刷の色は有色部の色と同一もしくは類似する色（黒、ダークグレー、ダークブルーおよびダークブラウンなど）にされている。そのため、ＬＣＤユニットの貼り付けのずれによって有色部が表示窓から大きく覗いたとしても、同一または類似色の印刷の存在によってそれが目立たなくなる。
【００１１】
第１の発明によれば、表示窓の縁に形成された印刷の存在によって貼り付けのずれが目立たなくなるため、液晶表示パネルの貼り付けのずれに安価に対応することができる。
【００１２】
第２の発明は、第１の発明に従属し、有色部がブラックマスクである。
【００１３】
第３の発明は、第１の発明または第２の発明に従属し、印刷が、表示窓の縁全体に形成されている。
【００１４】
第３の発明によれば、表示窓の周縁には枠が印刷されるため、縦横方向のずれ、回転のずれなどを目立たなくすることができる。
【００１５】
第４の発明は、第１の発明ないし第３の発明のいずれかに従属し、印刷が、表示窓のＬＣＤユニットが貼り付けられる側に形成されている。
【発明の効果】
【００１６】
この発明によれば、印刷枠の存在によって貼り付けのずれが目立たなくなるため、液晶表示パネルの貼り付けのずれに安価に対応した携帯電話機を提供できるようになる。
【００１７】
この発明の上述の目的、その他の目的、特徴および利点は、図面を参照して行う以下の実施例の詳細な説明から一層明らかとなろう。
【図面の簡単な説明】
【００１８】
【図１】図１はこの発明の一実施例の携帯電話機の外観を示す図解図である。
【図２】図２は図１に示すディスプレイの構成の一例を示す図解図である。
【図３】図３は図１に示す筐体の一部を示す図解図である。
【図４】図４は図１に示す筐体にディスプレイが貼り付けられた状態の断面の一例を示す図解図である。
【図５】図５は図１に示すディスプレイと筐体との位置関係を示す図解図である。
【図６】図６は図１に示す筐体に貼り付けられるディスプレイのずれ方の一例を示す図解図である。
【図７】図７は図１に示す筐体に貼り付けられるディスプレイのずれ方の他の一例を示す図解図である。
【図８】図８は図１に示す筐体に貼り付けられるディスプレイのずれ方のその他の一例を示す図解図である。
【発明を実施するための形態】
【００１９】
図１は、携帯端末の一種である携帯電話機１０の外観図である。図１を参照して、携帯電話機１０は、ストレート型の形状をしており、平面矩形の筐体Ｃを有する。ディスプレイ１２は、ＬＣＤユニット２２（図２参照）が筐体Ｃの主面側から見えるように、筐体Ｃに内蔵される。また、ディスプレイ１２の下側には、複数のキーから構成されるキー入力装置１４が設けられる。そして、筐体Ｃには、CPUまたはコンピュータと呼ばれるプロセッサが内蔵されており、ディスプレイ１２およびキー入力装置１４はプロセッサに接続される。
【００２０】
キー入力装置１４は、通話キーおよび終話キーなどを備えるとともに、「０」−「９」キー、「＊」キーおよび「＃」キーを含むダイヤルキーも備える。たとえば、使用者が操作したキーの情報（キーデータ）はプロセッサに入力される。そして、プロセッサにキーの情報が入力されると、そのキーの情報に応じてディスプレイ１２に画像が表示される。
【００２１】
たとえば、使用者は、ディスプレイ１２を確認しながら、ダイヤルキーを操作して電話番号を入力し、通話キーによって音声発信操作を行い、終話キーによって通話終了操作を行う。また、使用者は、終話キーを長押しすることで携帯電話機１０の電源をオン／オフする。
【００２２】
なお、通話状態を確立するためのアンテナおよび無線通信回路や、通話を行うためのマイクおよびスピーカなどは筐体Ｃに内蔵されているため、図１では図示されない。また、筐体Ｃにおいて、主面は前面パネル（カバー）であり、取り外すことができる。
【００２３】
図２は、ディスプレイ１２の構成を示す図解図である。図２を参照して、ディスプレイ１２は、基板２０およびこの基板２０の上に設けられるＬＣＤユニット２２から構成されている。また、基板２０には他の回路（表示ドライバなど）と接続するための端子部２８が設けられる。そして、ＬＣＤユニット２２は、表示領域２４を含み、周縁および表示範囲２４内にはブラックマスク２６が形成されている。このブラックマスク２６は、ブラックマトリクスとも呼ばれ、表示領域２４内ではカラーフィルター（赤、緑、青の３色）を囲む格子状に形成されており、ディスプレイ１２のコントラストを向上させる。そして、ＬＣＤユニット２２の周縁では、図示しないバックライトの光が前面に漏れるのを防止するなど目的のために形成されている。ただし、表示領域２４におけるブラックマスク２６の格子の目は非常に小さいため、通常は視認することができない。
【００２４】
図３は、筐体Ｃの主面上側を示す図解図である。筐体Ｃの主面上側には、表面側からＬＣＤユニット２２が見えるように表示窓３２が形成される。また、表示窓３２の周縁裏面には印刷枠３０が形成されており、この印刷枠３０も表示窓３２の表面側から視認できる。さらに、印刷枠３０の色はブラックマスク２６と同一または類似する色相、明度および彩度を有する黒色（ブラック）にされる。ただし、図３以降の図面では、ブラックマスク２６との重なりによって不明瞭になってしまうのを回避するため、印刷枠３０に模様を付けて図示する。
【００２５】
図４は、筐体にディスプレイが貼り付けられた状態の断面の一例を示す図解図である。図４を参照して、表示窓３２は、筐体Ｃに透明な強化ガラスをはめ込むことで形成されており、印刷枠３０は表示枠３２の周縁裏面に印刷されている。また、ディスプレイ１２は、樹脂６０によって筐体Ｃに貼り付けられているため、表示窓３２の裏面とディスプレイ１２との間には樹脂６０の層が存在する。さらに、印刷枠３０が印刷されている部分では、樹脂６０の層の中に印刷枠３０の印字に対応する層も存在する。
【００２６】
また、ＬＣＤユニット２２の内部には、ブラックマスク２６の層が存在しており、表示領域２４の範囲では格子状に形成されている。さらに、基板２０の左端には端子部２８設けられる。
【００２７】
たとえば、製造工程では、ＬＣＤユニット２２の表面に樹脂６０を塗布し、表示窓３２の裏面と密着させる。また、この樹脂６０は紫外線を照射することで硬化するＵＶ硬化樹脂であるため、表示窓３２の表面から紫外線が照射されると、樹脂６０が硬化して表示窓３２の裏面にディスプレイ１２が貼り付けられる。
【００２８】
なお、他の実施例では、筐体Ｃの前面カバーを強化ガラスで形成し、印刷枠３０および表示窓３２が形成されるように裏面が塗装されてもよい。また、樹脂６０に代えて樹脂シートによって表示窓３２の裏面にディスプレイ１２が貼り付けられてもよい。
【００２９】
図５（Ａ），（Ｂ）はディスプレイ１２と筐体Ｃとの位置関係を示す図解図である。なお、図５（Ａ）では、ディスプレイ１２と筐体Ｃとの位置関係を明確にするため、筐体Ｃを点線で表している。図５（Ａ）を参照して、ディスプレイ１２は、筐体Ｃの表示窓３２の表面側からＬＣＤユニット２２が見えるように、表示窓３２の裏面に貼り付けられる。また、表示窓３２の面積は、表示領域２４の面積よりも僅かに大きい。そのため、図５（Ｂ）に示すように、表示窓３２の表面側からは、表示領域２４の全部とブラックマスク２６の一部とが視認できる。
【００３０】
ここで、携帯電話機１０の製造工場には、筐体Ｃにディスプレイ１２が貼り付けられた状態で納品される。ところが、筐体Ｃにディスプレイ１２が貼り付けられた部品（アッシー部品）において、ディスプレイ１２が貼り付けのずれが大きいと見栄えが悪いため、アッシー部品（ディスプレイ１２および前面カバー）を不良品として処分せざるを得ない場合もある。
【００３１】
しかし、本実施例では、表示窓３２の周縁にブラックマスク２６と類似する色の印刷枠３０が形成されているため、貼り付けのずれが目立たなくなり、不良品として処分されるアッシー部品の数を減らすことができる。特に、印刷枠３０が表示窓３２の周縁に形成されているため、縦横方向のずれ、回転のずれなどを目立たなくすることができる。
【００３２】
以下、貼り付けのずれとして想定される、「横ずれ」、「縦ずれ」および「回転ずれ」について説明する。図６（Ａ）を参照して、ディスプレイ１２が筐体Ｃに対して右方向にずれて貼り付けられると、表示窓３２から見えるブラックマスク２６において、左ずれ幅４０は右ずれ幅４２よりも大きくなる。しかし、図６（Ｂ）に示すように、印刷枠３０を本来の色（ブラック）で示すと、左ずれ幅４０および右ずれ幅４２の違いがほとんど気にならなくなる。つまり、横ずれが印刷枠３０の存在によって目立たなくなる。
【００３３】
次に、図７（Ａ）を参照して、ディスプレイ１２が筐体Ｃに対して、下方向にずれて貼り付けられると、表示窓３２から見えるブラックマスク２６において、上ずれ幅４４が下ずれ幅４６よりも大きくなる。ところが、図７（Ｂ）に示すように、印刷枠３０を本来の色で示すと、上ずれ幅４４および下ずれ幅４６の違いがほとんど気にならなくなる。つまり、縦ずれが印刷枠３０の存在によって目立たなくなる。
【００３４】
そして、図８（Ａ）を参照して、ディスプレイ１２が筐体Ｃに対して、右回転方向にずれて貼り付けられると、表示窓３２から見えるブラックマスク２６において、右上ずれ４８、右下ずれ５０、左下ずれ５２および左上ずれ５４が僅かに歪んでしまう。しかし、図８（Ｂ）に示すように、印刷枠３０を本来の色で示すと、各ずれがほとんど気にならなくなる。つまり、回転ずれが印刷枠３０の存在によって目立たなくなる。
【００３５】
以上の説明から分かるように、携帯電話機１０の筐体Ｃには表示窓３２が形成され、表示窓３２の裏側にはＬＣＤユニット２２が貼り付けられる。そのため、表示領域２４が表示窓３２を通して視認される。また、このＬＣＤユニット２２の周縁には、ブラックマスク２６が形成されるため、ブラックマスク２６の一部も表示窓３２の表面から見える。さらに、表示窓３２の周縁裏面には、印刷枠３２が形成され、その印刷枠３２はブラックマスク２６の色と類似する黒色にされている。そのため、ＬＣＤユニット２２の貼り付けのずれによってブラックマスク２６が表示窓３２から大きく覗いたとしても、印刷枠３２の存在によってそれが目立たなくなる。
【００３６】
このように形成されることで、印刷枠３２の存在によって貼り付けのずれが目立たなくなるため、ディスプレイ１２の貼り付けのずれに安価に対応することができる。
【００３７】
なお、本実施例の印刷枠３０の幅は０．７mmであり、この幅よって縦横のずれ幅は約０．２mmまでを許容でき、回転ずれは±０．７度までを許容できる。ただし、他の実施例では、これらの数値に限定されるものではない。
【００３８】
また、印刷枠３０の幅が０．７mmであるため、携帯電話機１０の外観意匠に対する影響は小さい。つまり、前面カバーの意匠において、デザインの自由度は高い。
【００３９】
また、ブラックマスク２６と類似する色としては、ダークグレー、ダークブルーおよびダークブラウンなどがある。さらに、ブラックマスク２６の色と印刷枠３０の色との明度差は、２０以下（最小値０、最大値２５５）まで許容される。
【００４０】
また、携帯電話機１０の通信方式はCDMA方式であるが、LTE(Long Term Evolution)方式、W-CDMA方式、GSM方式、TDMA方式、FDMA方式およびPHS方式などが採用されてもよい。
【００４１】
また、携帯電話機１０の形状は、ストレート型であったが、２つの筐体のスライド型または３つ以上の筐体のスライド型であってもよい。さらに、携帯電話機１０の形状は、１軸の折り畳み型、２軸の折り畳み型や、リボルバー型などであってもよい。
【００４２】
さらに、本願発明は、携帯電話機１０のみに限らず、スマートフォンおよびPDA(Personal Digital Assistant)に適用されてもよい。
【００４３】
そして、本明細書中で挙げた、明度差、印刷枠３０の幅の長さ、ずれ幅の長さおよび回転角度などの具体的な数値は、いずれも単なる一例であり、製品の仕様などの必要に応じて適宜変更可能である。
【符号の説明】
【００４４】
１０    …  携帯電話機
１２    …  ディスプレイ
１４    …  キー入力装置
２２    …  ＬＣＤユニット
２６    …  キー入力装置
２４    …  表示領域
２６    …  ブラックマスク
３０    …  印刷枠
３２    …  表示窓
６０    …  樹脂
【図１】
2011233998.tif 000003
【図２】
2011233998.tif 000004
【図３】
2011233998.tif 000005
【図４】
2011233998.tif 000006
【図５】
2011233998.tif 000007
【図６】
2011233998.tif 000008
【図７】
2011233998.tif 000009
【図８】
2011233998.tif 000010